(57)【要約】【課題】開閉体が閉じるとき、球が突起と球入口の周縁部と開閉体とで挟まれないようにする。【解決手段】球入口２２と球入口２２を開閉するための開閉体２３と開閉体２３の左右に配置された突起２５とを有する下可変入賞部品１５において、球Ｐが矢印Ｘ１で示すように右調整釘３４；３５の間の隙間を通過して一点鎖線示の球Ｐ１となり、この球Ｐ１が矢印Ｘ２で示すように右側の突起２５の上面から右側の突起２５に向かうように左側の突起２５から放出されて仮想鎖線示の球Ｐ２となり、球Ｐ２が矢印Ｘ３で示すように右障害部材２８の下側に衝突して向きが下方に変更され、球Ｐ２が左側の突起２５に到達することなく球入口２２に向かうので、このように右障害部材２８で下方に跳ね返された球Ｐ２が球入口２２に到達した際に、開閉体４３が開いた状態から閉じても、球Ｐ２が左側の突起２５と球入口２２の周縁部における前面板２１と開閉体２３とで挟まれない。【選択図】図１
2009028214.tif 000002
【特許請求の範囲】
【請求項１】
遊技盤の前面に設けられた可変入賞部品が球入口と球入口を開閉するための開閉体と開閉体の左右に配置された突起とを備え、開閉体が駆動機構によって下部の開閉軸を中心として前方斜めに開きかつ垂直に閉じるように前後方向に開閉するパチンコ遊技機の遊技盤において、一方の突起の上面から他方の突起に向かうように当該一方の突起から放出された球を他方の突起に到達することなく球入口に向かうように跳ね返す障害部材が球入口の真上に設けられたことを特徴とするパチンコ遊技機の遊技盤。
【請求項２】
障害部材が遊技盤に打ち込まれた遊技釘から構成されたことを特徴とする請求項１記載のパチンコ遊技機の遊技盤。
【発明の詳細な説明】
【技術分野】
【０００１】
本発明は、開閉体が閉じるとき、突起と球入口の周縁部と開閉体とで球を挟むことがないパチンコ遊技機の遊技盤に関する。
【背景技術】
【０００２】
図３は、特許文献１で開示されたパチンコ遊技機の遊技盤７の正面を示す。図３において、遊技盤７の前面に設けられた可変入賞部品４１には球入口４２と開閉体４３と図外の開閉軸および突起４５などが設けられ、開閉体４３が図外の駆動機構によって上記開閉軸を中心として前方斜めに開きかつ図示のように垂直に閉じるように前後方向に開閉する。しかしながら、左右の突起４５が開閉体４３に接近して設けられ、突起４５と開いた開閉体４３との間の隙間が球の通過不可能な寸法になっているので、開閉体４３が開いた状態から閉じる最中において、例えば、球Ｐが矢印Ｘ５で示すように一方の突起４５から他方の突起４５に向けて進入した場合、他方の突起４５が衝立となり、球Ｐが突起４５と球入口４２の周縁部と開閉体４３とで挟まれることがあるという欠点がある。
【特許文献１】特開２００６−１７５０５５公報
【発明の開示】
【発明が解決しようとする課題】
【０００３】
発明が解決しようとする問題点は、開閉体が閉じるとき、球が突起と球入口の周縁部と開閉体とで挟まれることがあるという点である。
【課題を解決するための手段】
【０００４】
本発明に係るパチンコ遊技機の遊技盤は、遊技盤の前面に設けられた可変入賞部品が球入口と球入口を開閉するための開閉体と開閉体の左右に配置された突起とを備え、開閉体が駆動機構によって下部の開閉軸を中心として前方斜めに開きかつ垂直に閉じるように前後方向に開閉するパチンコ遊技機の遊技盤において、一方の突起の上面から他方の突起に向かうように当該一方の突起から放出された球を他方の突起に到達することなく球入口に向かうように跳ね返す障害部材が球入口の真上に設けられたことを最も主要な特徴とする。障害部材が遊技盤に打ち込まれた遊技釘から構成されてもよい。
【発明の効果】
【０００５】
本発明に係るパチンコ遊技機の遊技盤は、障害部材が一方の突起の上面から他方の突起に向かうように当該一方の突起から放出された球を他方の突起に到達することなく球入口に向かうように跳ね返すことによって、開閉体が閉じるとき、球が他方の突起と球入口の周縁部と開閉体とで挟まれることがないという利点がある。障害部材が遊技盤に打ち込まれた遊技釘から構成されれば、障害部材は遊技盤から前方に突出した部分が遊技盤に打ち込まれた部分を定点として左右上下の方向に斜めになるように調整されることによって、障害部材で球入口に向かう方向に跳ね返す方向を調整することができるという利点がある。
【発明を実施するための最良の形態】
【０００６】
図１のａ図は、発明を実施するための可変入賞部品を構成する下可変入賞部品１５の周りの遊技盤７の正面を示す。図１のｂ図は、図１のａ図をＡ−Ａ線に沿って切断した断面を示す。図２は、パチンコ遊技機の正面を示す。本明細書において、「前」、「後」、「左」、「右」、「上」、「下」の方向は、図２の状態に遊技機枠１を置いて図２の紙面の表側から見た場合に特定される方向である。
【０００７】
図２を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、窓パネル３、受皿４、発射操作機構５が設けられる。遊技機枠１の内部には、発射機構６が設けられる。
【０００８】
遊技盤７の前面には、ガイドレール８、発射通路９、アウト口１０、一般入賞部品１１、左始動部品１２、右始動部品１３、上可変入賞部品１４、下可変入賞部品１５などが設けられる。上可変入賞部品１４は、センター役物とも呼ばれ、仕切壁１７、球入口１８、開閉体１９、特定入賞領域２０などを備える。左側の開閉体１９が左斜めに開きかつ図示のように垂直に閉じ、右側の開閉体１９が右斜めに開きかつ垂直に閉じるというように、左右の開閉体１９が図外の駆動機構によって下部における図外の開閉軸を中心として左右方向に開閉することによって球入口１８を開閉する。
【０００９】
下可変入賞部品１５は、アタッカーとも呼ばれ、前面板２１、球入口２２、開閉体２３、開閉軸２４、突起２５などを備える。前面板２１は、下可変入賞部品１５を遊技盤７の前面に取り付ける部分である。球入口２２は、前後方向への貫通孔として前面板２１に設けられる。開閉体２３は、図外の駆動機構によって下部の開閉軸２４を中心として前方斜めに開きかつ図示のように垂直に閉じるように前後方向に開閉することによって、球入口２２を開閉するものであって、開閉軸２４で前面板２１に取り付けられる。突起２５は、球入口２２の左右に配置され、前面板２１から前側に突出し、前面板２１に設けられる。
【００１０】
遊技盤７が遊技機枠１の内部に装着された場合、遊技領域２６が窓パネル３と遊技盤７の前面との間におけるガイドレール８で囲まれた球の飛び交う領域として形成され、ガイドレール８、発射通路９、アウト口１０、一般入賞部品１１、左始動部品１２、右始動部品１３、上可変入賞部品１４、下可変入賞部品１５、遊技釘１６などが、遊技機枠１の前側から窓２および窓パネル３を通して視認可能になる。
【００１１】
そして、遊技盤７が遊技機枠１に装着され、遊技者が受皿４にパチンコ球と呼ばれる球を入れ、遊技者が発射操作機構５を操作するのに伴い、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域２６の上部に到達する。遊技領域２６に到達した球が、遊技領域２６を流下する過程において、左始動部品１２、右始動部品１３、上可変入賞部品１４、下可変入賞部品１５のいずれか１つに入賞するごとに、当該入賞した球を検出した球検出器が入賞信号を図外の制御装置に出力し、図外の制御装置が図外の球払出機構を制御し、球払出機構が賞球としての球を受皿４に払い出す。
【００１２】
最良の形態における遊技盤７の前面の構造にあっては、先ず、上可変入賞部品１４の開閉体１９を開閉させるために左始動部品１２に球を集中させるように左打ちが行われ、左始動部品１２への入賞をきっかけとして開閉体１９が開閉した後、上可変入賞部品１４の開閉体１９を開閉させるために右始動部品１３に球を集中させるように右打ちが行われるようになっている。そして、右始動部品１３への入賞後の開閉体１９が開いた状態において、遊技領域２６を流下する球が、上可変入賞部品１４の球入口１８から仕切壁１７で囲まれた部分の特定入賞領域２０に入ると、当該特定入賞領域２０に入った球は遊技盤７の後方に排出され、特定入賞領域２０に入った球を検出した図外の球検出器が特定入賞信号を制御装置に出力し、制御装置が下可変入賞部品１５の開閉体２３の開閉する大当たり遊技を開始する。
【００１３】
大当たり遊技は、開閉体２３の開閉の開始からの経過時間がラウンド規定時間に到達するかまたは下可変入賞部品１５への球の入賞個数が入賞規定個数に到達するかのいずれか１つが成立したら開閉体２３を閉じて１ラウンドを終了し、開閉体２３の開閉を再開し、最大ラウンド数まで繰り返される遊技形態である。一般入賞部品１１、左始動部品１２、右始動部品１３、上可変入賞部品１４、下可変入賞部品１５のいずれかに入賞した球は、遊技盤７の後方に排出される。一般入賞部品１１、左始動部品１２、右始動部品１３、上可変入賞部品１４、下可変入賞部品１５のいずれにも入らないで、遊技領域２６の最下部に到達した球は、アウト口１０から遊技盤７の後方に排出される。
【００１４】
図１を参照し、下可変入賞部品１５の周りの遊技釘１６の構成について説明する。図１では、開閉体２３は開いた状態である。図１のａ図に示すように、下可変入賞部品１５の周りにおける遊技盤７には、左障害部材２７、右障害部材２８、左連釘群２９、左調整釘３０；３１、右連釘群３２、右調整釘３３；３４；３５が設けられる。
【００１５】
左障害部材２７は、１本の遊技釘１６から構成され、左側の突起２５の上面から右側の突起２５に向かうように左側の突起２５から放出された球を右側の突起２５に到達することなく球入口２２に向かうように跳ね返すように、球入口２２の真上で、下可変入賞部品１５に近接して配置される。右障害部材２８は、１本の遊技釘１６から構成され、右側の突起２５の上面から左側の突起２５に向かうように左側の突起２５から放出された球を左側の突起２５に到達することなく球入口２２に向かうように跳ね返すように、球入口２２の真上で、下可変入賞部品１５に近接して配置される。左障害部材２７と右障害部材２８との左右方向に相対峙する間隔は、球が通過可能な寸法である。
【００１６】
左連釘群２９は、複数本の遊技釘１６から構成され、左連釘群２９を構成する遊技釘１６どうしは、互いに球の通過不可能な間隔で上下方向に一列に配置される。左調整釘３０；３１は、互いに１本の遊技釘１６から構成される。左調整釘３０；３１における相互間の隙間は、１個の球が通過可能であるものの２個の球が同時に通過できない寸法である。左調整釘３０は、左連釘群２９より右斜め下に配置される。左調整釘３１は、左連釘群２９より左斜め下に配置される。左調整釘３０；３１と左側の突起２５との間の隙間は、１個の球が通過可能であるものの２個の球が同時に通過できない寸法である。
【００１７】
右連釘群３２は、複数本の遊技釘１６から構成される。右連釘群３２を構成する遊技釘１６どうしは、互いに球の通過不可能な間隔で左側に下り勾配となるように一列に配置される。右調整釘３３乃至３５は、互いに１本の遊技釘１６から構成される。調整釘３３乃至３５における相互間の隙間は、１個の球が通過可能であるものの２個の球が同時に通過できない寸法である。右調整釘３３は、右連釘群３２より左斜め下に配置され、右連釘群３２に球の通過不可能な間隔で隣接する。右調整釘３４は、右調整釘３３より左斜め下に配置される。右調整釘３５は、右調整釘３３より左側真横でかつ右調整釘３４より左斜め上に配置される。右調整釘３４；３５と右側の突起２５との間の隙間は、１個の球が通過可能であるものの２個の球が同時に通過できない寸法である。
【００１８】
よって、例えば、実線示の球Ｐが矢印Ｘ１で示すように右調整釘３４；３５の間の隙間を通過して一点鎖線示の球Ｐ１となる。この一点鎖線示の球Ｐ１が矢印Ｘ２で示すように右側の突起２５の上面から左側の突起２５に向かうように右側の突起２５から放出されて仮想鎖線示の球Ｐ２となる。この仮想鎖線示の球Ｐ２が矢印Ｘ３で示すように右障害部材２８の下側に衝突して向きが下方に変更され、球Ｐ２が左側の突起２５に到達することなく球入口２２に向かうので、このように右障害部材２８で下方に跳ね返された球Ｐ２が球入口２２に到達した際に、開閉体４３が開いた状態から閉じても、球Ｐ２が左側の突起２５と球入口２２の周縁部における前面板２１と開閉体２３とで挟まれることはないという利点がある。
【００１９】
つまり、図１のｂ図に示すように、右障害部材２８で下方に跳ね返された球Ｐ２が矢印Ｘ３で示すように下方に跳ね返されて開閉体２３の上に乗って実線示の球Ｐ３となる。この実線示の球Ｐ３は、矢印Ｘ４で示すように、開閉軸２４を中心として後方に立ち上がるように動作する開閉体２３によって球入口２２から下可変入賞部品１５の後方の収容室３６に入る。つまり、Ｐ３は、球入口２２から下可変入賞部品１５に入賞する。この収容室３６に入った球は、収容室３６の底部に開口された球出口３７から遊技盤７よりも後方に排出される。遊技盤７には、部品逃避孔３８が設けられる。部品逃避孔３８は、下可変入賞部品１５が遊技盤７に取り付けられる場合、下可変入賞部品１５の収容室３６や収容室３６の外部に設けられた開閉駆動機構を逃げるための貫通孔であって、遊技盤７に取り付けられ下可変入賞部品１５の前面板２１で前側から見えないように目隠しされる。前面板２１が図外のねじ釘で前方から前面板２１の図外の取付孔を経由して遊技盤７に締結されることによって、下可変入賞部品１５が遊技盤７に取り付けられる。
【００２０】
左障害部材２７または右障害部材２８である障害部材が遊技盤７に打ち込まれた遊技釘１６から構成されているので、左障害部材２７または右障害部材２８は遊技盤７から前方に突出した部分が遊技盤７に打ち込まれた部分を定点として左右上下の方向に斜めになるように調整されることによって、左障害部材２７または右障害部材２８で球入口２２に向かうように跳ね返す方向を調整することができるという利点がある。
【産業上の利用可能性】
【００２１】
図１において、左障害部材２７または右障害部材２８は、下可変入賞部品１５の前面板２１から前方に突出するように前面板２１に設けてもよい。
【図面の簡単な説明】
【００２２】
【図１】ａ図は下可変入賞部品の周りの遊技盤の正面図、ｂ図は、図１のａ図のＡ−Ａ線断面図（最良の形態）。
【図２】パチンコ遊技機の正面図（最良の形態）。
【図３】遊技盤に取り付けられた可変入賞部品の斜視図（従来）。
【符号の説明】
【００２３】
１は遊技機枠、２は窓、３は窓パネル、４は受皿、５は発射操作機構、６は発射機構、７は遊技盤、８はガイドレール、９は発射通路、１０はアウト口、１１は一般入賞部品、１２は左始動部品、１３は右始動部品、１４は上可変入賞部品、１５は下可変入賞部品、１６は遊技釘、１７は仕切壁、１８は球入口、１９は開閉体、２０は特定入賞領域、２１は前面板、２２は球入口、２３は開閉体、２４は開閉軸、２５は突起、２６は遊技領域、２７は左障害部材、２８は右障害部材、２９は左連釘群、３０；３１は左調整釘、３２は右連釘群、３３乃至３５は右調整釘、３６は収容室、３７は球出口、３８は部品逃避孔、３９；４０は欠番、４１は可変入賞部品、４２は球入口、４３は開閉体、４４は欠番、４５は突起。
【図１】
2009028214.tif 000003
【図２】
2009028214.tif 000004
【図３】
2009028214.tif 000005